(57)【要約】【課題】利便性の高い簡易画面モードを有する画像形成装置の提供。【解決手段】印刷に関する各種機能項目を入力し、各種機能項目を表示する操作表示手段８と、各種機能項目を記憶する記憶手段５とを備え、操作表示手段８に限られた機能項目のみを表示する簡易画面モードを有する画像形成装置において、操作表示手段８により利用者が設定した機能項目を記憶手段５に書き込み、簡易画面に表示する制御を行う制御手段１を備えた。【選択図】図１
2007196387.tif 000002
【特許請求の範囲】
【請求項１】
印刷に関する各種機能項目を入力する入力手段と、各種機能項目を表示する表示手段と、各種機能項目を記憶する記憶手段とを備え、前記表示手段に限られた機能項目のみを表示する簡易画面モードを有する画像形成装置において、前記入力手段により利用者が設定した機能項目を前記記憶手段に書き込み、簡易画面に表示する制御を行う制御手段を備えたことを特徴とする画像形成装置。
【請求項２】
請求項１に記載の画像形成装置において、前記表示手段は、前記記憶手段に記憶された履歴データを元に前記機能項目を簡易画面に表示することを特徴とする画像形成装置。
【請求項３】
請求項１または２に記載の画像形成装置において、前記表示手段は、前記記憶手段に履歴データとして記憶されている機能項目の数が所定数以上である場合に、これら機能項目から予め設定した数の機能項目を設定履歴として簡易画面に表示することを特徴とする画像形成装置。
【請求項４】
請求項３に記載の画像形成装置において、 前記履歴データとして記憶された機能項目数が、登録された数を超えた場合、前記表示手段は、利用頻度が高い設定機能項目を優先的に表示することを特徴とする画像形成装置。
【請求項５】
請求項１乃至４のいずれか一項に記載の画像形成装置において、前記制御手段は、ユーザの所属グループを特定するグループＩＤ情報を識別するグループＩＤ識別機能を有し、識別されたグループＩＤ情報を機能項目と関連付けて前記記憶手段に書き込み、 前記表示手段は、入力されたグループＩＤ情報に対応する機能項目の履歴データを設定履歴として表示することを特徴とする画像形成装置。
【請求項６】
請求項１乃至５のいずれか一項に記載の画像形成装置において、前記制御手段は、前記記憶手段に設定機能項目を保持させるか否かを選択する履歴保持選択機能を有し、履歴データを保持させる設定がなされている場合に、前記入力手段により入力された機能項目を読み取って、この機能項目を前記記憶手段に書き込むことを特徴とする画像形成装置。
【請求項７】
請求項１乃至６のいずれか一項に記載の画像形成装置において、前記制御手段は、前記記憶手段に記憶されているデータを消去する機能を有することを特徴とする画像形成装置。
【請求項８】
請求項１乃至７のいずれか一項に記載の画像形成装置において、前記入力手段は、表示手段上での機能項目の表示位置を変更するための入力機能を有することを特徴とする画像形成装置。
【請求項９】
印刷に関する各種機能項目を入力する入力ステップと、各種機能項目を表示する表示ステップとを画像形成装置に実行させる画像形成装置の制御プログラムであって、機能項目を履歴データとして順次記憶する記憶ステップと、履歴データを機能項目履歴として表示する表示ステップとを画像形成装置に実行させることを特徴とする画像形成装置の制御プログラム。
【発明の詳細な説明】
【技術分野】
【０００１】
本発明は、画像形成装置、及びその制御プログラムに関し、より詳しくは、過去の設定履歴を利用して、新たな設定操作を迅速、且つスムーズに行う画像形成装置、及びその制御プログラムに関する。
【背景技術】
【０００２】
近年の画像形成装置は、多機能化しており、パネル操作部(操作表示部)上に多くの機能項目が表示されている。そのため、慣れない利用者にとって目的の機能項目を探すのが困難となっている。従って、そういった利用者の操作負担を軽減することのできる利便性の高い画像形成装置の実現が望まれている。
このような要求に応じた従来の画像形成装置として、利用者の設定履歴を蓄積し、その蓄積された設定一覧を決められた個数だけ一覧表示させる機能を備えたものが提案されている（特許文献１）。
【０００３】
しかし、上記設定一覧表示機能を有する画像形成装置によれば、その設定履歴一覧は、設定された機能単位ではなく設定情報単位で扱う。即ち、印刷部数などの些細な違いも異なる履歴として扱われるため、機能が同一でも設定情報が異なる設定をしたい利用者にとって目的とする機能を選択するのが煩わしいという問題があった。
また、パネル操作部に基本的な機能項目のみを表示させた簡易画面モードを備えたものがある（特許文献２）。図１３は簡易画面モード時の簡易画面を示す図である。タッチパネル８０には周知の複雑な通常画面のほかに、簡易画面モード時に図のような簡易画面が表示される。
【特許文献１】特開２００５−２１２１３７公報
【特許文献２】特開２００５−１８２０７１公報
【発明の開示】
【発明が解決しようとする課題】
【０００４】
しかし上記簡易画面には、設計者があらかじめ選択した機能しか表示されていないため、利用者の環境によっては、必要／不必要な機能があり、必ずしも利用者にとっての利便性を満足させているとはいえず、改良の余地が残されている。
本発明は、利便性の高い簡易画面モードを有する画像形成装置、及びその制御プログラムの提供を目的とする。
【課題を解決するための手段】
【０００５】
上記目的を達成するために、請求項１記載の発明は、印刷に関する各種機能項目を入力する入力手段と、各種機能項目を表示する表示手段と、各種機能項目を記憶する記憶手段とを備え、表示手段に限られた機能項目のみを表示する簡易画面モードを有する画像形成装置において、入力手段により利用者が設定した機能項目を記憶手段に書き込み、簡易画面に表示する制御を行う制御手段を備えた画像形成装置を最も主要な特徴とする。
請求項２記載の発明は、請求項１に記載の画像形成装置において、表示手段は、記憶手段に記憶された履歴データを元に機能項目を簡易画面に表示する画像形成装置を主要な特徴とする。
【０００６】
請求項３記載の発明は、請求項１または２に記載の画像形成装置において、表示手段は、記憶手段に履歴データとして記憶されている機能項目の数が所定数以上である場合に、これら機能項目から予め設定した数の機能項目のみを設定履歴として簡易画面に表示する画像形成装置を主要な特徴とする。
請求項４記載の発明は、請求項３に記載の画像形成装置において、履歴データとして記憶された機能項目数が、登録された数を超えた場合、表示手段は、利用頻度が高い設定機能項目を優先的に表示する画像形成装置を主要な特徴とする。
【０００７】
請求項５記載の発明は、請求項１乃至４のいずれか一項に記載の画像形成装置において、制御手段は、ユーザの所属グループを特定するグループＩＤ情報を識別するグループＩＤ識別機能を有し、識別されたグループＩＤ情報を機能項目と関連付けて記憶手段に書き込み、表示手段は、入力されたグループＩＤ情報に対応する機能項目の履歴データのみを設定履歴として表示する画像形成装置を主要な特徴とする。
請求項６記載の発明は、請求項１乃至５のいずれか一項に記載の画像形成装置において、制御手段は、記憶手段に設定機能項目を保持させるか否かを選択する履歴保持選択機能を有し、履歴データを保持させる設定がなされている場合にのみ、入力手段により入力された機能項目を読み取って、この機能項目を記憶手段に書き込む画像形成装置を主要な特徴とする。
【０００８】
請求項７記載の発明は、請求項１乃至６のいずれか一項に記載の画像形成装置において、制御手段は、記憶手段に記憶されているデータを消去する機能を有する画像形成装置を主要な特徴とする。
請求項８記載の発明は、請求項１乃至７のいずれか一項に記載の画像形成装置において、入力手段は、表示手段上での機能項目の表示位置を変更するための入力機能を有する画像形成装置を主要な特徴とする。
【０００９】
請求項９記載の発明は、印刷に関する各種機能項目を入力する入力ステップと、各種機能項目を表示する表示ステップとを画像形成装置に実行させる画像形成装置の制御プログラムであって、機能項目を履歴データとして順次記憶する記憶ステップと、履歴データを機能項目履歴として表示する表示ステップとを画像形成装置に実行させる画像形成装置の制御プログラムを最も主要な特徴とする。
【発明の効果】
【００１０】
本発明は、印刷に関する各種機能項目を入力する入力手段と、各種機能項目を表示する表示手段と、各種機能項目を記憶する記憶手段とを備え、表示手段に限られた機能項目のみを表示する簡易画面モードを有する画像形成装置において、入力手段により利用者が設定した機能項目を記憶手段に書き込み、簡易画面に表示する制御を行う制御手段を備えたので、利便性の高い簡易画面モードとすることができる。
【発明を実施するための最良の形態】
【００１１】
以下、本発明の実施形態を図面に従って説明する。
図１は本発明の実施形態に係る画像形成装置の機能ブロック図である。本画像形成装置は、装置の制御プログラムを実行するマイクロプロセッサ１、マイクロプロセッサ１のアドレス、データ及びコントロール信号を伝達するバス２、バス２を通してマイクロプロセッサ１に接続された読み出し専用メモリ(ＲＯＭ)３、読み書き両用メモリ(ＲＡＭ)４、不揮発メモリ(ＮＶＲＡＭ)５、バス２を通してマイクロプロセッサ１に接続され、図示しないモータ、ソレノイドなどの出力負荷、センサなどの入力信号が接続されている入出力ポート６、シリアル通信制御ユニット７、操作表示部８を備えている。シリアル通信制御ユニット７は操作表示部８と信号の授受を実行している。
【００１２】
図２は操作表示部のレイアウト図である。操作表示部８は、中央部に操作の状態やメッセージを表示するタッチパネル８０がある。またテンキー８１、スタートキー８２、その他周知の多数のキーを有する。またテンキー８１、スタートキー８２の下には、簡易画面を呼び出すための簡易画面モードキー８３、初期設定画面を呼び出すための初期設定画面キー８４が配置されている。
【００１３】
図３は本発明の画像形成装置におけるカスタマイズ簡易画面を示す図である。図１３に示す従来の簡易画面では、あらかじめ設計者が固定した機能のみしか表示されていないが、図３に示すカスタマイズ簡易画面では、従来の機能に加えて「印字」「ステープル」といった機能が表示されている。このように、簡易画面をカスタマイズできるようにすることで、利用者ごとによく使う機能が異なる状況に対応させた画面表示とすることができる。
【００１４】
以下、本発明の画像形成装置における動作を説明する。図４は簡易画面に機能項目を登録する処理のフロー図である。初期設定画面(図示省略)を表示し(Ｓ１)、ここからの操作で簡易画面への機能登録画面(図示省略)を表示(Ｓ２)し、利用可能な機能一覧を表示(Ｓ３)した後、機能一覧から選択入力されたか判断し(Ｓ４)、入力された場合、その機能を不揮発メモリ５に書き込む(Ｓ５)。
図５は簡易画面を用いて実行する処理のフロー図である。利用者は、設定情報を入力する画面が表示されている状態（通常画面）で(Ｓ１)、簡易画面モードキー８３を押す(Ｓ２)。簡易画面は、利用者が事前に登録した機能項目のみが表示される(Ｓ３)。利用者は、簡易画面より設定情報を入力する(Ｓ４)。設定情報に基づいて画像処理を実行する(Ｓ５)。
【００１５】
図６は設定履歴を利用して簡易画面に機能を登録する処理のフロー図である。通常画面の表示状態で(Ｓ１)、設定情報の入力を行い(Ｓ２)、設定機能項目を不揮発メモリ５に記憶し(Ｓ３)、その設定項目に基いて画像処理を実行する(Ｓ４)。本機能を用いれば、利用者が意図せずとも簡易画面に表示する機能を登録することができる。
図７は簡易画面に表示できる機能の数を登録する処理のフロー図である。初期設定画面の表示(Ｓ１)、簡易画面への機能登録数設定画面(図示省略)の表示(Ｓ２)の後、登録機能数が入力されたら(Ｓ３)、その機能数を不揮発メモリ５に書き込む(Ｓ４)。
【００１６】
図８は設定履歴を利用して画面に利用頻度の高い機能のみを登録する処理のフロー図である。簡易画面モードキー８３の押下で簡易画面を表示し(Ｓ１〜Ｓ３)、設定情報入力後(Ｓ４)不揮発メモリ５の履歴データを呼び出して(Ｓ５)履歴データとして記憶された設定機能項目数が、図７のフローで登録された数を超えたか判断し(Ｓ６、Ｓ７)、超えた場合、利用頻度の高い順に優先度をつけて、図７のフローにおいて登録された数の機能のみを簡易画面に表示する(Ｓ８〜Ｓ１０)。
超えていなければ不揮発メモリに記憶してある機能項目を簡易画面に表示する(Ｓ１１)。
【００１７】
図９はグループＩＤ個別の簡易画面の機能を登録する処理のフロー図である。グループＩＤ情報入力画面(図示省略)を表示し(Ｓ１)、入力されたグループＩＤ情報を一時記憶し(Ｓ２)、初期設定画面に基いてグループＩＤ個別の利用可能な機能一覧を表示し(Ｓ４、Ｓ５)、機能一覧から選択入力されたら(Ｓ５)、その項目を不揮発メモリ５に記憶する(Ｓ６)。
【００１８】
図１０はグループＩＤ個別の簡易画面を表示する処理のフロー図である。グループＩＤ情報入力画面を表示し(Ｓ１)、入力されたグループＩＤ情報を一時記憶し(Ｓ２)、簡易画面モードキー８３が押下されたら(Ｓ３、Ｓ４)、グループＩＤ情報に関連付けられた機能項目を呼び出して(Ｓ５)簡易画面に表示する(Ｓ６)。設定情報を入力したら(Ｓ７)、その項目をＲＡＭ４と不揮発メモリ５に記憶する(Ｓ８)。そしてその情報に基いて画像処理を実行する(Ｓ９)。
【００１９】
図１１は設定した機能を履歴保持するか否かを選択する処理のフロー図である。設定情報の入力が完了したら(Ｓ１、Ｓ２)、これをＲＡＭ４に記憶する(Ｓ３)。そしてこれを保持する場合は(Ｓ４)不揮発メモリ５に記憶し(Ｓ５)、画像処理を実行する(Ｓ６)。
【００２０】
図１２は簡易画面のレイアウトをカスタマイズする処理のフロー図である。簡易画面を表示し(Ｓ１)、レイアウト変更用のキー(図示省略)が押され(Ｓ２)、変更したい機能項目アイコンが選択されたら(Ｓ３)、アイコンのサイズと位置を入力する画面(図示省略)を表示し(Ｓ４)、アイコンのレイアウト情報の入力が完了したら(Ｓ５)、それを不揮発メモリ５に記憶する(Ｓ６)。
【産業上の利用可能性】
【００２１】
本発明は、画像形成装置に限らず、人による操作によって動作し、制御プログラムが搭載されている装置に応用できる。特に、オフィスなど作業フローがある程度決まっている環境に設置されている場合にメリットを発揮する。
【図面の簡単な説明】
【００２２】
【図１】本発明の実施形態に係る画像形成装置の機能ブロック図である。
【図２】操作表示部のレイアウト図である。
【図３】本発明の画像形成装置におけるカスタマイズ簡易画面を示す図である。
【図４】簡易画面に機能項目を登録する処理のフロー図である。
【図５】簡易画面を用いて実行する処理のフロー図である。
【図６】設定履歴を利用して簡易画面に機能を登録する処理のフロー図である。
【図７】簡易画面に表示できる機能の数を登録する処理のフロー図である。
【図８】設定履歴を利用して画面に利用頻度の高い機能のみを登録する処理のフロー図である。
【図９】グループＩＤ個別の簡易画面の機能を登録する処理のフロー図である。
【図１０】グループＩＤ個別の簡易画面を表示する処理のフロー図である。
【図１１】設定した機能を履歴保持するか否かを選択する処理のフロー図である。
【図１２】簡易画面のレイアウトをカスタマイズする処理のフロー図である。
【図１３】簡易画面モード時の簡易画面を示す図である。
【符号の説明】
【００２３】
１  マイクロプロセッサ(制御手段)
５  不揮発メモリ
８  操作表示部(入力手段、表示手段)
【図１】
2007196387.tif 000003
【図２】
2007196387.tif 000004
【図３】
2007196387.tif 000005
【図４】
2007196387.tif 000006
【図５】
2007196387.tif 000007
【図６】
2007196387.tif 000008
【図７】
2007196387.tif 000009
【図８】
2007196387.tif 000010
【図９】
2007196387.tif 000011
【図１０】
2007196387.tif 000012
【図１１】
2007196387.tif 000013
【図１２】
2007196387.tif 000014
【図１３】
2007196387.tif 000015